(57)【要約】【課題】照明装置において、光学フィルタの液晶に含まれる二色性色素の経時的変質を有効に抑制し、長期的に安定して照射する光の色温度を調節することができるようにする。【解決手段】照明装置１は、光源２と、光源２からの出射光のうち、特定の波長の光を吸収する二色性色素３１を含む光学フィルタ３と、光学フィルタ３に配設される紫外線吸収フィルタ４と、を備える。この紫外線吸収フィルタ４は、４１０ｎｍ以下の波長の光の略全てを実質的に透過させないことにより、光学フィルタ３を紫外線から保護する。この構成により、光学フィルタ３に含まれる二色性色素３１の経時的変質が抑制され、ユーザは、長期的に安定して照明装置１が照射する光の色温度を調節することができる。【選択図】図２
2007294215.tif 000002
【特許請求の範囲】
【請求項１】
光源と、吸収分光特性の異なる二色性色素を含む液晶材が透明電極付きの透明基板に挟設されて成る液晶セルを有する光学フィルタと、前記光源と光学フィルタとの間に設けられる紫外線吸収フィルタと、を備えた照明装置であって、
前記紫外線吸収フィルタは、４１０ｎｍ以下の波長の光の略全てを実質的に透過させないものであることを特徴とする照明装置。
【請求項２】
前記紫外線吸収フィルタが、紫外線吸収剤として２−ヒドロキシ−ベンゾフェノン、２−（２´−ヒドロキシフェニル）ベンゾトリアゾール又はこれらの誘導体のうち、少なくとも１種を含有することを特徴とする請求項１に記載の照明装置。
【請求項３】
前記二色性色素を含む液晶材に光安定剤としてヒンダードアミン系光安定剤が添加されたことを特徴とする請求項１または請求項２に記載の照明装置。 
【発明の詳細な説明】
【技術分野】
【０００１】
本発明は、光の色温度を調節する光学フィルタを備えた照明装置に関する。
【背景技術】
【０００２】
光の色温度は、人の生体リズムや覚醒度に影響を与えることが知られており、例えば、低色温度の光には、リラクゼーションの効果があり、一方、高色温度の光には、覚醒度を上昇させる効果がある。近年では、この光の色温度が人の生体リズム等に与える効果に着目し、照明光の色温度を変化させることにより、居住者がライフスタイルに応じた快適な照明環境を得られるようにした照明装置が提案されている。
【０００３】
このような照明装置としては、特許文献１に示されるように、赤色系（Ｒ）、緑色系（Ｇ）及び青色系（Ｂ）の発光色の光源を備え、これらの光源の発光量の比率を調節することによって、所望の色温度の混色光を照射できるようにした照明装置が知られている。しかし、この特許文献１に示される照明装置は、複数の光源を綿密に制御するための複雑な制御手段を必要とするため、装置の高コスト化をまねく虞がある。また、白熱灯やハロゲンランプのような汎用の光源を使用することができないので、ランプ切れの際には、専用の発光色の光源と交換する必要があり、必ずしも一般住宅で用いられる照明装置としては適していなかった。
【０００４】
それに対して、特許文献２に示されるように、光源から照射された光のうち、特定の波長の光を吸収して透過させないことにより、光の色温度を制御する光学フィルタを備えた照明装置が知られている。この特許文献２に示される照明装置は、照明器具に備えられた光学フィルタが、吸収分光特性の異なる二色性色素を含む液晶を有しており、この液晶に電圧が印加されると、その電圧に応じて、液晶に含まれる二色性色素の分子配列が変化することで、光学フィルタを透過する光の色温度を制御する。この特許文献２に示される照明装置は、印加電圧を変化させることで容易に光の色温度を制御することができ、また、汎用の光源が使用されるので、上記特許文献１に示される照明装置の問題点を解消することができる。
【特許文献１】特開平６−０５２９９２号公報
【特許文献２】特開２００４−６１８２８号公報
【発明の開示】
【発明が解決しようとする課題】
【０００５】
しかしながら、特許文献２に示される照明装置の光学フィルタは、光源から高出力の紫外線が長期間にわたって照射されると、液晶に含まれる二色性色素が経時的に変質して、所望の吸収分光特性が失われてしまい、安定して光の色温度を調節することができなくなることがあった。これを解決するには、光学フィルタに紫外線吸収フィルタを備えることが有効であるが、一般に用いられる３６０ｎｍ以下の波長の光を透過させない紫外線吸収フィルタでは、二色性色素の経時的変質を有効に抑制できないことがあった。
【０００６】
本発明は、上記課題を解決するものであり、照明光の色温度を連続的に変えることができる光学フィルタを備えた照明装置において、光学フィルタの液晶に含まれる二色性色素の経時的変質を有効に抑制することにより、長期的に安定して光の色温度を調節することができる光学フィルタを備えた照明装置を提供することを目的とする。
【課題を解決するための手段】
【０００７】
上記課題を解決するために、請求項１の発明は、光源と、吸収分光特性の異なる二色性色素を含む液晶が透明電極付きの透明基板に挟設されて成る液晶セルを有する光学フィルタと、前記光源と光学フィルタとの間に設けられる紫外線吸収フィルタと、を備えた照明装置であって、前記紫外線吸収フィルタは、４１０ｎｍ以下の波長の光の略全てを実質的に透過させないものである。
【０００８】
また、請求項２の発明は、請求項１に記載の照明装置において、前記紫外線吸収フィルタが、紫外線吸収剤として２−ヒドロキシ−ベンゾフェノン、２−（２´−ヒドロキシフェニル）ベンゾトリアゾール又はこれらの誘導体のうち、少なくとも１種を含有するものである。
【０００９】
請求項３の発明は、請求項１または請求項２に記載の照明装置において、前記二色性色素を含む液晶に光安定剤としてヒンダードアミン系光安定剤が添加されたものである。
【発明の効果】
【００１０】
請求項１の発明によれば、紫外線吸収フィルタが４１０ｎｍ以下の波長の光の略全てをカットするものであるので、汎用の紫外線吸収フィルタを用いた場合に比べて、二色性色素の経時的変質を有効に抑制することができる。
【００１１】
請求項２の発明によれば、紫外線吸収剤として、汎用の物質を使用しているので、照明装置全体の生産コストを低減することができる。
【００１２】
請求項３の発明によれば、照明装置は、二色性色素の経時的変質が抑制された光フィルタを備えているので、ユーザは長期的に安定して照明光の色温度を調節することができるようになる。
【発明を実施するための最良の形態】
【００１３】
本発明の一実施形態に係る照明装置について図１を参照して説明する。照明装置１は、光を出射する光源２と、この光源２の光出射方向に配置される光学フィルタ３と、この光学フィルタ３の光入射面及び光出射面に配設される紫外線吸収フィルタ４と、を備えている。また、上記の紫外線吸収フィルタ４は、少なくとも光源２と光学フィルタ３との間に設けられていればよく、必ずしも図１に示すように、光学フィルタ３の光出射面側には配設されなくてもよいし、また、光学フィルタ３と接するように配設されなくてもよい。
【００１４】
照明装置１は、光源２からの出射光を上記の紫外線吸収フィルタ４及び光学フィルタ３の方向へ反射させる反射部材５を更に備える。また、上記の光源２、光学フィルタ３、紫外線吸収フィルタ４及び反射部材５は、開口部を有する筐体６内に収容される。光源２から出射された光は、直接又は反射部材５で反射され、筐体６の開口部に備えられた紫外線吸収フィルタ４及び光学フィルタ３を透過して外部へ放射される。また、光源２は、駆動電源７により点灯駆動され、光学フィルタ３は、フィルタ用電源３７により必要に応じて所定の電圧の印加を受ける。
【００１５】
光源２は、汎用の光源であって、例えば、白熱灯、蛍光灯、高輝度放電灯等が用いられる。特に、放射分光特性がほぼ平坦なキセノン放電ランプ又はメタルハライド放電ランプが好ましい。また、光源２には、駆動電源７からの電力の供給を受けて、これを光源２に向けて所定の電圧に変換して供給する発光用電源（図示せず）が備えられる。この発光用電源には、光源２の種類に応じて、例えば、白熱灯向け、蛍光灯向け、高輝度放電灯向けに開発された汎用の電源が用いられる。
【００１６】
光学フィルタ３は、光源２から入射した光のうち、特定の波長の光を吸収して透過させないことにより、光学フィルタ３を透過した光の色温度を制御する。この光学フィルタ３の詳細な構成については後述する。
【００１７】
紫外線吸収フィルタ４は、紫外線吸収剤を含有する透光性樹脂から成る薄板であって、光源２から入射した光に含まれる紫外線を吸収して、特に、特定の波長以下の光を実質的に透過させないことにより、光学フィルタ３を保護する。この紫外線吸収フィルタ４の詳細な構成についても後述する。
【００１８】
反射部材５は、汎用の光学部材であって、例えば、椀型に形成された樹脂構造体に、光反射率の高いアルミニウム等を蒸着させたものが用いられる。また、反射部材５は、筐体６の内表面に直接的に、アルミニウム蒸着等の表面処理が施されることで形成されることもある。ただし、この場合、筐体６の内表面は所望の光学特性が発揮されるような形状に形成されている必要がある。
【００１９】
筐体６は、一方が開口し、他方が閉口した略筒形の構造材である。この筐体６は、光源２から放射される熱により、内部が高温に晒される場合もあるので、耐熱性及び耐久性に優れた素材により形成される必要がある。
【００２０】
駆動電源７及びフィルタ用電源３７には、それぞれ汎用の電源が用いられ、交流及び直流の駆動電圧を発生させることができるものが望ましい。
【００２１】
次に、本実施形態の照明装置１における光学フィルタ３及び紫外線吸収フィルタ４の構成について、図２を参照して説明する。
【００２２】
光学フィルタ３は、対向する一対の透明基板３４の間に、液晶材３２を封じ込めた液晶パネルから成る。透明基板３４には、透明電極３３が設けられ、液晶セル３５を構成している。液晶材３２には、吸収分光特性の異なる二色性色素３１が含まれる。また、対向する一対の透明基板３４は封止材３６によって固定される。更に、一対の透明電極３３は導線３９を介して、フィルタ用電源３７と接続されている。なお、図２は、液晶セル３５を１つ備えた光学フィルタ３を示しているが、この液晶セル３５が複数備えられることもある。
【００２３】
二色性色素３１は、見る方向によって２種類の異なる着色を示す色素である。この二色性色素３１は、その種類によって、固有の分子構造に起因する吸光ピークを持っていて、長波長域から短波長域にかけて吸収分光特性が連続的に増加するものや、短波長域から長波長域にかけて吸収分光特性が連続的に増加するものがある。また、高出力の紫外線等が照射されると、その立体特性が変性して吸光分光特性が変質することがある。代表的な二色性色素として、アゾ系色素、アントラキノン系色素等が知られている。本実施形態においては、例えば、アゾ系色素が用いられる。なお、吸収分光特性とは、各々の物質が有する波長ごとの光の吸収特性を言う。
【００２４】
液晶材３２は、汎用のサーモトロピック液晶が用いられ、本実施形態においては、ネマティック液晶、コレステリック液晶、スメクティック液晶のいずれを用いてもよいが、高速応答が得られるネマティック液晶が好ましい。なお、スメクティック液晶の一種である強誘電性液晶を用いてもよい。
【００２５】
透明電極３３は、液晶材３２に対し、その配向を調節する任意の電圧を印加するものであり、例えば、イットリウム錫系酸化物が用いられる。この透明電極３３は、導線３９介してフィルタ用電源３７に接続されており、交流又は直流の駆動電圧が印加される。透明基板３４には、汎用のガラス基板が用いられる。この透明基板３４には上記の透明電極３３が取り付けられる。また、フィルタ用電源３７には、汎用の電源が用いられるが、電圧を自在に制御して出力できるものが望ましい。
【００２６】
次に、上記のように構成された本実施形態における光学フィルタ３の動作を説明する。液晶セル３５の透明電極３３に電圧が印加されていないとき、細長い分子構造の液晶材３２及び二色性色素３１は、透明基板３４に対して平行に配向（ホモジニアス配向）していて、二色性色素３１の長軸方向に振動する偏光を強く吸収（ハイルマイヤー型ゲストホスト動作）する。従って、例えば、短波長成分に対する吸収分光特性を有する二色性色素３１含む液晶セル３５は、透過した光の色温度を増加させ、一方、長波長成分に対する吸収分光特性を有する二色性色素３１含む液晶セル３５は、透過した光の色温度を減少させる。
【００２７】
一方、液晶セル３５の透明電極３３に十分な電圧が印加されると、細長い分子構造の液晶材３２及び二色性色素３１は電界方向に再配向して、透明基板３４に対して垂直に立ち上がる。そのため、二色性色素３１による短波長成分及び長波長成分の吸収が減少して、液晶セル３５の透過分光特性は平坦になり、液晶セル３５を透過した光の色温度は変化しない。
【００２８】
このように、吸収分光特性の異なる二色性色素３１含む液晶セル３５に印加する電圧を適宜に制御することで、液晶セル３５の透過分光特性が連続的に変化する。従って、光学フィルタ３は、印加する電圧を変化させることで、その透過分光特性をアナログ的に制御することができ、光源２から入射した光Ｌ１のうち、特定の波長の光を吸収して出射し、色温度を制御した照明光Ｌ２を出射することができる。また、この光学フィルタ３を備えたことにより、本実施形態の照明装置１は、光の色温度を広範囲かつ連続的に制御された照明光を出射することが可能となる。
【００２９】
また、本実施形態の光学フィルタ３には、二色性色素を含む液晶に光安定剤３８が添加される。光安定剤３８は、光を吸収した物質から励起エネルギーを受け取り、光を吸収した物質の劣化を抑制するものである。本実施形態で用いられる光安定剤３８は、ヒンダードアミン系光安定剤であり、例えば、チバスペシャリティーケミカルズ製ＣＨＩＭＡＳＳＯＲＢ  ２０２０  ＦＤＬが望ましい。
【００３０】
次に、本実施形態の紫外線吸収フィルタ４の構成について説明する。この紫外線吸収フィルタ４は、透光性樹脂から成る薄板であって、樹脂材料中に紫外線吸収剤が添加される。例えば、透光性樹脂として、アクリル樹脂（三菱レイヨン製、商品名ＶＨ００１）が用いられる。また、紫外線吸収剤として、チバスペシャルケミカルズ製ＴＩＮＵＶＩＮ３２６が２％添加される。本実施形態では、２−ヒドロキシ−ベンゾフェノン、２−（２´−ヒドロキシフェニル）ベンゾトリアゾール又はこれらの誘導体から成るベンゾトリアゾール系紫外線吸収剤が好ましく、上記以外に、チバスペシャルケミカルズ製ＴＩＮＵＶＩＮ３２７、ＴＩＮＵＶＩＮ３２８等を用いてもよい。また、紫外線吸収フィルタ４は、例えば、押し出し成形、射出成形又はセルキャスト成形等により、所定の形状に形成される。
【００３１】
ここで、光学フィルタ３に紫外線吸収フィルタ４を配設したことにより、液晶材３２に含まれる二色性色素３１の経時的変性が抑制されるのかを確認する耐光試験（以下、耐光試験１）及び液晶材３２に光安定剤を添加したことにより、所望の効果を得られるかを確認する耐光試験（以下、耐光試験２）について説明する。
【００３２】
耐光試験１は、紫外線吸収フィルタ４が配設された光学フィルタ３（実施例１）、紫外線吸収フィルタ４が配設されていない光学フィルタ３（比較例１）及び汎用の紫外線吸収フィルタ４１が配設された光学フィルタ３（比較例２）について、所定の条件下で紫外線を照射する試験に供し、試験の前後における光学フィルタ３の光透過率を測定し、液晶材３２に含まれる二色性色素３１の経時的変質を調べたものである。なお、耐光試験１では、いずれの光学フィルタ３においても液晶材３２に光安定剤は添加されていない。
【００３３】
具体的には、まず、液晶材３２に含まれる二色性色素３１の波長３００−８００ｎｍにおける透過スペクトルが、自記分光光度計（日立製作所製、商品名Ｕ−４０００）により測定され、初期状態（電圧無印加で着色状態）の透過率が求められる。その後、紫外線を照射する４００Ｗの水銀灯（松下電器産業製、商品名Ｈ４００）から距離２００ｍｍの位置に試験対象となる光学フィルタ３を設置し、６０℃熱風循環恒温槽中で４週間にわたって上記の水銀灯の光を照射した後、再び二色性色素３１の波長３００−８００ｎｍの透過スペクトルが測定される。
【００３４】
耐光試験２は、液晶材３２に光安定剤３８が添加されていない光学フィルタ３（実施例１）、液晶材３２に光安定剤３８が添加されている光学フィルタ３（実施例２）について、上記耐光試験１と同様に、二色性色素３１の経時的変質を調べたものである。なお、耐光試験２では、いずれの実施例においても光学フィルタ３の表裏面に紫外線吸収フィルタ４が配設されている。
【００３５】
耐光試験２では、耐光試験１で用いた水銀灯よりも照射強度が強い６０Ｗのメタルハライドランプが用いられ、メタルハライドランプから距離３００ｍｍの位置に試験対象となる光学フィルタ３を設置し、９０℃熱風循環恒温槽中で２４時間にわたって上記のメタルハライドランプの光を照射した。透過スペクトルの測定は上記の方法に準じた。
【００３６】
次に、耐光試験１又は耐光試験２に供される実施例１、実施例２、比較例１及び比較例２の構成について、図３（ａ）乃至（ｃ）を参照して説明する。なお、ここではフィルタ用電源３７及び導線３９の記載を省略している。
【００３７】
図３（ａ）は、紫外線吸収フィルタ４が配設された光学フィルタ３（実施例１）の構成を示す。光学フィルタ３の液晶材３２には（チッソ社製、商品名ＪＣ−１０６９ＲＢ）が、二色性色素３１には（林原生物化学研究所製、商品名Ｇ−２０５）が用いられる。液晶材３２に二色性色素３１を０．５重量％溶解させ、基板間隔７μmのガラス製の液晶セル３５（イーエイチシー社製）に注入した後、封止材３６として、紫外線硬化封止材（イーエイチシー社製、商品名ＵＶ−ＲＥＳＩＮ  ＬＣ６１０）を用いて密封することで形成される。更に、実施例１では、紫外線吸収フィルタ４が光学フィルタ３の表裏面に設置される。この紫外線吸収フィルタ４は、紫外線吸収剤としてチバスペシャルケミカルズ製ＴＩＮＵＶＩＮ３２６を２％添加したアクリル樹脂（三菱レイヨン製、商品名ＶＨ００１）から成るものである。
【００３８】
図３（ｂ）は、紫外線吸収フィルタ４が配設され、更に液晶材３２に光安定剤が添加された光学フィルタ３（実施例２）の構成を示す。実施例２では、実施例１の光学フィルタ３の液晶材３２に、ヒンダードアミン系光安定剤（シバスペシャリティーケミカルズ社製、商品名ＣＨＩＭＡＳＳＯＲＢ  ２０２０  ＦＤＬ）が、液晶材３２に対して０．５重量％溶融させたものである。また、実施例１と同じく、光学フィルタ３の表裏面に紫外線吸収フィルタ４が設置される。
【００３９】
図３（ｃ）は、紫外線吸収フィルタ４が配設されていない光学フィルタ３（比較例１）の構成を示す。比較例１は、紫外線吸収フィルタ４が配設されていない点を除き実施例１と同じである。
【００４０】
図３（ｄ）は、汎用の紫外線吸収フィルタ４１が配設された光学フィルタ３（比較例２）構成を示す。の構成を示す。この汎用の紫外線吸収フィルタ４１は、チバスペシャルケミカルズ製ＴＩＮＵＶＩＮ２３４を０．００５％％添加したアクリル樹脂（三菱レイヨン製、商品名ＶＨ００１）から成るものである。
【００４１】
図４は、上記の実施例１及び実施例２において、光学フィルタ３の両面に設置された紫外線吸収フィルタ４の光透過特性を示す。すなわち、紫外線吸収フィルタ４は、４１０ｎｍ以下の波長の光を略１００％透過させないものとして形成される。
【００４２】
また、図５は、上記の比較例２において、光学フィルタ３の両面に設置された紫外線吸収フィルタ４１の光透過特性を示す。すなわち、紫外線吸収フィルタ４１は略３６０ｎｍ以下の波長の光を略１００％透過させないものとなっている。
【００４３】
図６（ａ）、（ｂ）及び（ｃ）は、それぞれ上記の実施例１、比較例１及び比較例２について実施された耐光試験１の結果を示す。また、この結果から、二色性色素３１の吸光ピークである波長４８０ｎｍにおける初期状態の透過率に対する試験後の透過率の増加を求め、下記の基準で評価したものを表１に示す。
○：透過率の増加が５％未満
△：透過率の増加が５％以上１０％未満
×：透過率の増加が１０％以上
【００４４】
【表１】
2007294215.tif 000003
【００４５】
表１及び図６に示される耐光試験１の結果は、紫外線吸収フィルタ４が配設された光学フィルタ３（実施例１）が、紫外線吸収フィルタ４が配設されていない光学フィルタ３（比較例１）又は汎用の紫外線吸収フィルタ４１が配設された光学フィルタ３（比較例２）と比べて、二色性色素３１の経時的変質が有効に抑制されたことを示す。
【００４６】
図７（ａ）及び（ｂ）は、上記の実施例１及び実施例２について実施された耐光試験２の結果を示す。また、上記の耐光試験１と同様に、この結果から、二色性色素３１の吸光ピークである波長４８０ｎｍにおける、初期状態の透過率に対する試験後の透過率の増加を求め、上記の表１と同じ基準で評価したものを表２に示す。
【００４７】
【表２】
2007294215.tif 000004
【００４８】
表２及び図７に示される耐光試験２の結果は、ヒンダードアミン系光安定剤を添加していない光学フィルタ３（実施例１）に比べて、ヒンダードアミン系光安定剤を添加した光学フィルタ３（実施例２）の方が、二色性色素３１の経時的変質を有効に抑制されることを示す。すなわち、光学フィルタ３の液晶材３２に、ヒンダードアミン系光安定剤を添加することにより、二色性色素３１の安定性が高めることができる。
【００４９】
上記の耐光試験１の結果から明らかなように、本実施形態に係る照明装置１は、光学フィルタ１に紫外線吸収フィルタが配設されているので、汎用の紫外線吸収フィルタを用いた場合に比べて、二色性色素の経時的変質を有効に抑制することができる。また、紫外線吸収フィルタに用いられる紫外線吸収剤は、汎用の物質が使用されるので、照明装置１全体の生産コストを低減することができる。
【００５０】
また、上記の耐光試験２の結果から明らかなように、本実施形態に係る照明装置１は、光学フィルタ１の液晶材３２に光安定剤としてヒンダードアミン系光安定剤が添加されているので、二色性色素の経時的変質を有効に抑制することができる。
【００５１】
本実施形態に係る照明装置１は、上記のように構成されることにより、二色性色素３１の経時的変質が抑制された光学フィルタ３を備えているので、ユーザが長期的に安定して照明光の色温度を調節することができるようになる。
【００５２】
なお、本発明は、上記実施形態の構成に限られることなく種々の変形が可能である。例えば、照明装置１は、光源２と光学フィルタ３との間に偏光板が設けられ、光源２から光学フィルタ３へ入射する光の振動方向が一方向に揃えられるように構成されてもよい。この偏光板が設けられることにより、光の振動方向が均一化され、二色性色素３１がより効果的に光を吸収できるようになる。
【図面の簡単な説明】
【００５３】
【図１】本発明の一実施形態に係る照明装置の構成を示す断面図。
【図２】同装置に備えられる紫外線吸収フィルタが配設された光学フィルタの構成を示す断面図。
【図３（ａ）】紫外線吸収フィルタが配設された光学フィルタ（実施例１）の構成を示す断面図。
【図３（ｂ）】紫外線吸収フィルタが配設され、液晶に光安定剤が添加された光学フィルタ（実施例２）の構成を示す断面図。
【図３（ｃ）】紫外線吸収フィルタが配設されていない光学フィルタ（比較例１）の構成を示す断面図。
【図３（ｄ）】汎用の紫外線吸収フィルタが配設された光学フィルタ（比較例２）の構成を示す断面図。
【図４】上記実施例１、２の光フィルタに配設される紫外線吸収フィルタの光透過特性を示す図。
【図５】上記比較例２の光フィルタに配設される汎用の紫外線吸収フィルタの光透過特性を示す図。
【図６】（ａ）（ｂ）（ｃ）は、上記実施例１及び比較例１、２について実施された耐光試験１の結果を示す図。
【図７】（ａ）（ｂ）は、上記実施例１、２について実施された耐光試験２の結果を示す図。
【符号の説明】
【００５４】
１    照明装置
２    光源
３    光学フィルタ
３１    二色性色素
３２    液晶材
３３    透明電極
３４    透明基板
３５    液晶セル
３６    封止材
３７    フィルタ用電源
３８    光安定剤
３９    導線
４    紫外線吸収フィルタ
【図１】
2007294215.tif 000005
【図２】
2007294215.tif 000006
【図３（ａ）】
2007294215.tif 000007
【図３（ｂ）】
2007294215.tif 000008
【図３（ｃ）】
2007294215.tif 000009
【図３（ｄ）】
2007294215.tif 000010
【図４】
2007294215.tif 000011
【図５】
2007294215.tif 000012
【図６】
2007294215.tif 000013
【図７】
2007294215.tif 000014